(57)【要約】      （修正有）【課題】吐出安定性に優れる液滴吐出ヘッドを簡便に精度よく形成する液滴吐出記録ヘッドの製造方法。【解決手段】液体吐出エネルギ発生部３が形成された基板１上に、除去可能な液流路型を形成する工程と、液流路型上にネガ型の感光性樹脂からなる被覆樹脂層５を形成し、液体吐出エネルギ発生部上方の被覆樹脂層に液滴吐出口６を形成する工程と、液流路型を溶解除去して液流路７を形成する工程とを有する液滴吐出ヘッドの製造方法において、被覆樹脂層５を２層構造とし、第１樹脂層８に、感光性を活性化させるエネルギを吸収させる成分を含有させることで、第２樹脂層９は液滴吐出口断面積がマスク寸法に対して一定となる潜像を形成し、第１樹脂層８は液滴吐出口６断面積が徐々に大となるような潜像を形成し、吐出側に断面積が一定となる部分を有し、液体吐出エネルギ発生部３に向かって断面積が大きくなる液滴吐出口６を形成する。【選択図】図２
2007320299.tif 000002
【特許請求の範囲】
【請求項１】
液体吐出エネルギ発生部が形成された基板上に除去可能な液流路型を形成する工程と、前記液流路型上にネガ型の感光性樹脂からなる被覆樹脂層を形成し前記感光性を活性化させるエネルギをマスクを介して部分的に照射し現像することで前記液体吐出エネルギ発生部上方の前記被覆樹脂層に液滴吐出口を形成する工程と、前記液流路型を溶解除去して液流路を形成する工程と、を順次実施する液滴吐出ヘッドの製造方法において、前記被覆樹脂層を２層構造とし、第１樹脂層に前記感光性を活性化させるエネルギを吸収させる成分を含有させることで、前記エネルギ照射工程時に前記エネルギの入射方向に対して、第２樹脂層は前記液滴吐出口断面積がマスク寸法に対して一定となる潜像を形成し、前記第１樹脂層は前記液滴吐出口断面積が徐々に大となるような潜像を形成し、吐出側に断面積が一定となる部分を有し、前記液体吐出エネルギ発生部に向かって断面積が大きくなる液滴吐出口を形成することを特徴とする液滴吐出ヘッドの製造方法。
【請求項２】
液体吐出エネルギ発生部が形成された基板上に溶解可能な樹脂層により液流路型を形成する工程と、前記液流路型上にネガ型の感光性樹脂からなる被覆樹脂層を形成し前記感光性を活性化させるエネルギをマスクを介して部分的に照射し現像することによって前記液体吐出エネルギ発生部上方の前記被覆樹脂層に液滴吐出口を形成する工程と、前記液流路型を溶解除去して液流路を形成する工程とを順次実施する液体噴射記録ヘッドの製造方法において、前記液流路型上に溶解可能なポジ型の感光性樹脂層によりすそ引き形状の液滴吐出口型を形成した改良液流路型上に、ネガ型の感光性樹脂からなる被覆樹脂層を形成し、前記液体吐出エネルギ発生部上方の前記被覆樹脂層に液滴吐出口を形成する工程と、前記改良液流路型を溶解除去して液流路を形成する工程とを有し、吐出側に断面積が一定となる部分を有し、前記液体吐出エネルギ発生部に向かって断面積が大きくなる液滴吐出口と液流路を形成することを特徴とする液滴吐出ヘッドの製造方法。
【請求項３】
前記液吐出エネルギ発生部が、熱エネルギを発生する電気熱変換素子または静電気力によりエネルギを与えられる振動板であることを特徴とする請求項１又は２記載の液滴吐出ヘッドの製造方法。
【請求項４】
液体吐出エネルギ発生部が形成された基板上に、樹脂層により液流路及び液滴吐出口を備え、請求項１乃至３のいずれか１項記載の液滴吐出ヘッドの製造方法により製造された液滴吐出ヘッドであって、前記液滴吐出口は前記液体吐出エネルギ発生部に向かって断面積が一定となる部分を有し、かつ前記液体吐出エネルギ発生部に向かって断面積が大きくなるラッパ形状となることを特徴とする液滴吐出ヘッド。
【請求項５】
液滴を吐出する液滴吐出ヘッドとこの液滴吐出ヘッドに液体を供給するタンクを一体化した液体カートリッジにおいて、前記液滴吐出ヘッドは、請求項４記載の液滴吐出ヘッド、又は請求項１乃至３のいずれか１項記載の製造方法により製造された液滴吐出ヘッドであることを特徴とする液体カートリッジ。
【請求項６】
請求項５記載の液体カートリッジを使用することを特徴とする液滴吐出装置。
【請求項７】
請求項５記載の液体カートリッジを使用し、請求項１乃至３のいずれか１項記載の製造方法により製造された長尺化された液滴吐出ヘッドを使用することを特徴とするライン型液滴吐出装置。
【発明の詳細な説明】
【技術分野】
【０００１】
本発明は、インク滴を吐出する吐出口と、この吐出口が連通する液貯留室及び液流路と、この加圧液室内のインクを加圧するための駆動手段とを備える液滴吐出ヘッドの製造方法、液滴吐出ヘッド、液体カートリッジ、液滴吐出装置、ライン型液滴吐出装置に関するものである。
【背景技術】
【０００２】
液滴吐出ヘッドとしては、例えば、液体レジストを液滴として吐出する液滴吐出ヘッド、ＤＮＡの試料を液滴として吐出する液滴吐出ヘッド、インクを液滴として吐出する液滴吐出ヘッド等がある。
これらの中で、プリンタ、ファクシミリ、複写装置、プロッタ等の画像記録装置（画像形成装置）として用いるインクジェット記録装置は、インク滴を吐出する吐出口と、この吐出口が連通する液貯留室及び液流路（インク流路、吐出室、加圧液室、流路とも称される。）と、この加圧液室内のインクを加圧するための駆動手段（圧力発生手段）とを備えた液滴吐出ヘッドとしてのインクジェットヘッドを搭載したものである。以下では上記インクジェットヘッドを中心に説明をする。
【０００３】
プリンタ、ファクシミリ、複写機等に用いられるドロップオンディマンド型のインクジェット記録装置は、例えばインク滴を吐出する複数のノズル孔と、ノズル孔に接続されかつインクが加圧される圧力室と、この圧力室内のインクを加圧するためのエネルギ発生手段（例えば、圧電素子や静電素子等の電気機械変換素子、例えば、熱抵抗体（ヒータ）等の熱機械変換素子）を備えたインクジェットヘッドを用いて、記録信号が入力された時にのみノズル孔からインク滴を吐出飛翔させて、高速高解像度の記録を行うものである。
このようにインクジェットヘッドは、圧電素子やヒータ等のエネルギ発生手段を任意の周波数にて駆動することによってノズル孔から液滴化したインク滴を吐出飛翔させて記録を行うため、ノズル孔形状及び吐出口直径等がインク滴の噴射性能に影響を与える。
近年、インクジェット記録装置により出力された画像は、１２００ｄｐｉ以上の高精彩なものが多く見られるが、これは、１画素あたりのインク滴の大きさが１０ピコリットル以下に微小化されたことによるところが大きい。このような超微小な液滴をインクジェット吐出することは大変困難である。
その理由は、液滴の体積が非常に小さいために、インクジェットのオリフィスプレートの吐出口の直径を１０μｍ以下とし、曲線と直線がなだらかに連続した形状の吐出口を形成するのが困難なことと、インクジェットの吐出における着弾精度を向上させることが困難なためである。
【０００４】
図１２乃至図１６を参照して、一般的な液体噴射（インクジェット）記録ヘッドの基本的な構成を説明する。図１２は一般的な液体噴射（インクジェット）記録ヘッドの基本的な構成を説明する断面図である。図１３は図１２のインクジェット記録ヘッドの第１の製造工程を示す断面図である。
図１４は図１２のインクジェット記録ヘッドの第２の製造工程を示す断面図である。図１５は図１２のインクジェット記録ヘッドの第３の製造工程を示す断面図である。図１６は図１２のインクジェット記録ヘッドの第４の製造工程を示す断面図である。図１７はノズル形状を吐出口から電気熱変換素子に向かって断面積を大きくしているインクジェット記録ヘッドの基本的な構成を説明する断面図である。
【０００５】
例えば、図１２に示されるような基板１が用いられる。このような基板１は、液流路構成部材の一部として機能し、また、後述のインク流路（液流路）及びインク吐出口（液吐出口）６を形成する材料層の支持体として機能する。
基板１上には、電気熱変換素子あるいは圧電素子等の吐出エネルギ発生部３が所望の個数だけ配置される。このような、吐出エネルギ発生部３によって記録小滴（インク滴）を吐出させるための吐出エネルギがインク液に与えられ、記録が行われる。
図１２において、インク供給口２を基板１内に予め設けておき、基板１の下方よりインクを供給する形態を例示した。このインク供給口２の形成においては、基板１に穴を形成できる手段であれば、いずれの方法も使用できる。例えば、ドリル等機械的手段にて形成しても構わないし、レーザ等の光エネルギを使用しても差支えない。
【０００６】
次いで、図１３のように、吐出エネルギ発生部３を含む基板１上に、溶解可能な樹脂によってインク流路パターン４を形成する。次に、インク流路をパターニングした溶解可能な樹脂材料層（インク流路パターン）４上に、図１４に示すように、さらに、被覆樹脂層５を通常のスピンコート法、ロールコート法等で形成する。
次に、上記化合物から成る感光性被覆樹脂層５に対して、図１５に示すように、マスク１０を介してパターン露光を行う。この感光性被覆樹脂層５はネガ型であり、インク吐出口６を形成する部分をマスクで遮蔽する。
次に、パターン露光された感光性被覆樹脂層５は、適当な溶剤を用いて現像され、図１２及び図１６に示すように、インク吐出口６を形成する。ここで、未露光の感光性被覆樹脂層５の現像時に同時にインク流路７を形成する溶解可能な樹脂パターン４を現像することも可能である。
このようにしてインク流路７及びインク吐出口６を形成した基板１に対して、吐出エネルギ発生部３のインク吐出圧力発生素子を駆動するための電気的接合（図示せず）を行って、インクジェット記録ヘッドが形成される。
【０００７】
また、図１７に示すように、ノズル形状を吐出口６から電気熱変換素子３に向かって断面積を大きくするように、感光性を有するインク流路形成材料５に、感光性を活性化させるエネルギを型材により部分的に照射して吐出口６を形成する技術も開示されている（例えば、特許文献１乃至７参照）。
ノズル孔形状に関しては、従来、特許文献１では、多段階のテーパ角を有する形状が示され、特許文献２では、先細りのテーパ部に円柱形状を有するロート形状の噴射ノズル孔が示され、さらには、特許文献７では、ノズル孔の断面形状は、吐出口から流入口に向けて、ノズル孔内壁面接線方向とインク吐出方向のなす角度が連続的に増大するような構成とし、ノズル孔内部での圧力損失を低減させる形状が提案されている。
着弾精度を向上させるために、特許文献３では、インクジェットの吐出口の直線部を記録媒体と直交させ、かつ、その直線部の長さの比率を吐出口の直径の２０〜８０％として、インクの吐出飛翔方向の変化をもたせている例が開示されている。この開示によると、直線部が形成されることで、インクの吐出方向の流抵抗が減少し、直線部を流れるインクの吐出速度が向上し、曲線部分を流れるインクより速いために、出口でインクの飛出し方向のベクトルが曲がり、吐出方向の制御が可能となることが記載されている。
【０００８】
しかし、特許文献１乃至３、及び７には製造方法は記載されていない。製造方法に関しては、特許文献４で、感光性を有するインク流路形成材料に、感光性を活性化させるエネルギを型材により部分的に照射して吐出口を形成し、インク流路型樹脂層を形成する製造方法において、インク流路形成材料中に、感光性を活性化させるエネルギを吸収または散乱させる成分を含有させて製造することにより、ノズル形状を吐出口から電気熱変換素子に向かって断面積を大きくことを実現させている。
また、特許文献５及び６で、エポキシ系の感光性樹脂を２層構造とし、１層目の露光後、露光光の透過率が序々に変わるグラデーション部を有するグラデーションマスクにて、さらに、紫外線露光を行うことにより、直線部と曲線部とが形成された吐出口を有するオリフィスプレートが得られる製造方法が提案されている。
【特許文献１】特許第３２２０５０４号公報
【特許文献２】特開平９−５２３５８号公報
【特許文献３】特開平１１−９９７号公報
【特許文献４】特開２００１−１７９９７９号公報
【特許文献５】特開２００２−１５４２１０公報
【特許文献６】特開２００２−１５４２１１公報
【特許文献７】特開２００２−３６５６９公報
【発明の開示】
【発明が解決しようとする課題】
【０００９】
しかしながら、特許文献４の技術では、曲線部の形成は可能であるが、直線部が得られない。また、特許文献５及び６では、オリフィスプレート形成後、基体とオリフィスプレートとなるドライフィルムとを、パターニングされた別のドライフィルムを介して接合する必要があり、オリフィスプレートを薄く（例えば、２０μｍ以下）かつ均一に作成することは困難であり、たとえ作成できたとしても、インク吐出圧力発生素子が形成された基体との接合工程はオリフィスプレートの脆弱性により極めて困難となるという問題がある。
そこで、本発明の第１の目的は、感光性樹脂層を２層構造とし、下層に吸収剤をいれることによって、ノズル孔の断面形状が吐出口の直線部を有し、吐出口から流入口に向けて、ノズル孔内壁面接線方向とインク吐出方向のなす角度が連続的に増大するような構成となり、吐出安定性に優れる液滴吐出ヘッドを簡便に精度よく形成する液滴吐出記録ヘッドの製造方法を提供することにある。
【００１０】
本発明の第２の目的は、基板上に、除去可能な液流路型を形成する工程と、前記液流路型上にネガ型の感光性樹脂からなる被覆樹脂層を形成し、前記感光性を活性化させるエネルギを、マスクを介して部分的に照射し現像することで、前記液体吐出エネルギ発生部上方の前記被覆樹脂層に液吐出口を形成する工程と、前記液流路型を溶解除去して液流路を形成する工程とを有する液滴吐出記録ヘッドの製造方法において、スソひき形状のノズル型を流路型に付加することによって、ノズル孔の断面形状が、吐出口の直線部を有し、吐出口から流入口に向けて、ノズル孔内壁面接線方向とインク吐出方向のなす角度が連続的に増大するような構成となり、吐出安定性に優れる液滴吐出ヘッドを簡便に精度よく形成する液滴吐出記録ヘッドの製造方法を提供することにある。
本発明の第３の目的は、その製造方法により製造された液滴吐出記録ヘッド、これを使用する液体カートリッジ、この液体カートリッジを備えた液滴吐出装置及びライン型液滴吐出装置を提供することにある。
【課題を解決するための手段】
【００１１】
上記の課題を解決するために、請求項１に記載の発明は、液体吐出エネルギ発生部が形成された基板上に、除去可能な液流路型を形成する工程と、前記液流路型上にネガ型の感光性樹脂からなる被覆樹脂層を形成し、前記感光性を活性化させるエネルギを、マスクを介して部分的に照射し現像することで、前記液体吐出エネルギ発生部上方の前記被覆樹脂層に液滴吐出口を形成する工程と、前記液流路型を溶解除去して液流路を形成する工程とを有する液滴吐出ヘッドの製造方法において、前記被覆樹脂層を２層構造とし、第１樹脂層に、前記感光性を活性化させるエネルギを吸収させる成分を含有させることで、前記エネルギ照射工程時に前記エネルギの入射方向に対して、第２樹脂層は前記液滴吐出口断面積がマスク寸法に対して一定となる潜像を形成し、前記第１樹脂層は前記液滴吐出口断面積が徐々に大となるような潜像を形成し、吐出側に断面積が一定となる部分を有し、前記液体吐出エネルギ発生部に向かって断面積が大きくなる液滴吐出口を形成する液滴吐出ヘッドの製造方法を特徴とする。
【００１２】
また、請求項２に記載の発明は、液体吐出エネルギ発生部が形成された基板上に、溶解可能な樹脂層により、液流路型を形成する工程と、前記液流路型上にネガ型の感光性樹脂からなる被覆樹脂層を形成し、前記感光性を活性化させるエネルギを、マスクを介して部分的に照射し現像することによって、前記液体吐出エネルギ発生部上方の前記被覆樹脂層に液滴吐出口を形成する工程と、前記液流路型を溶解除去して液流路を形成する工程とを有する液体噴射記録ヘッドの製造方法において、前記液流路型上に溶解可能なポジ型の感光性樹脂層によりすそ引き形状の液滴吐出口型を形成した改良液流路型上に、ネガ型の感光性樹脂からなる被覆樹脂層を形成し、前記液体吐出エネルギ発生部上方の前記被覆樹脂層に液滴吐出口を形成する工程と、前記改良液流路型を溶解除去して液流路を形成する工程とを有し、吐出側に断面積が一定となる部分を有し、前記液体吐出エネルギ発生部に向かって断面積が大きくなる液滴吐出口と液流路を形成する液滴吐出ヘッドの製造方法を特徴とする。
また、請求項３に記載の発明は、前記液吐出エネルギ発生部が、熱エネルギを発生する電気熱変換素子または静電気力によりエネルギを与えられる振動板である請求項１又は２記載の液滴吐出ヘッドの製造方法を特徴とする。
【００１３】
また、請求項４に記載の発明は、液体吐出エネルギ発生部が形成された基板上に、樹脂層により液流路及び液滴吐出口を備えた液滴吐出ヘッドにおいて、請求項１乃至３のいずれか１項記載の液滴吐出ヘッドの製造方法により製造され、前記液滴吐出口は前記液体吐出エネルギ発生部に向かって断面積が一定となる部分を有し、かつ前記液体吐出エネルギ発生部に向かって断面積が大きくなるラッパ形状となる液滴吐出ヘッドを特徴とする。
また、請求項５に記載の発明は、液滴を吐出する液滴吐出ヘッドとこの液滴吐出ヘッドに液体を供給するタンクを一体化した液体カートリッジにおいて、前記液滴吐出ヘッドが、請求項４記載の液滴吐出ヘッド、又は請求項１乃至３のいずれか１項記載の製造方法により製造された液滴吐出ヘッドである液体カートリッジを特徴とする。
また、請求項６に記載の発明は、請求項５記載の液体カートリッジを使用する液滴吐出装置を特徴とする。
また、請求項７に記載の発明は、請求項５記載の液体カートリッジを使用し、請求項１乃至３のいずれか１項記載の製造方法により製造された長尺化された液滴吐出ヘッドを使用するライン型液滴吐出装置を特徴とする。
【発明の効果】
【００１４】
本発明によれば、流路形成（吐出口形成）に用いる感光性樹脂層を２層化し、下層（液体吐出エネルギ発生部側）に吸収成分を含有させることにより、吐出側に一定の断面積を有し、液体吐出エネルギ発生部に向かって断面積が大きくなるラッパ形状の液吐出口を精度良く、簡便に製造することが可能となる。
また、本発明によれば、液流路型上に溶解可能なポジ型の感光性樹脂層により、すそ引き形状の液吐出口型を形成した改良液流路型上に、ネガ型の感光性樹脂からなる被覆樹脂層を形成し、感光性を活性化させるエネルギを、液吐出口型マスクを介して部分的に照射して現像することで、液体吐出エネルギ発生部上方の被覆樹脂層に液吐出口を形成する工程と、改良液流路型を溶解除去して液流路を形成する工程とを有する製造方法により、吐出側に一定の断面積を有し、液体吐出エネルギ発生部に向かって断面積が大きくなるラッパ形状の液吐出口を精度良く、簡便に製造することが可能となる。
さらに、液体吐出エネルギ発生部に向かって断面積が大きくなるラッパ形状の液吐出口を精度良く備えた液滴吐出記録ヘッドを製造でき、この液滴吐出記録ヘッドを使用する液体カートリッジ、この液体カートリッジを備えた液滴吐出装置及びライン型液滴吐出装置を提供することができる。
【発明を実施するための最良の形態】
【００１５】
以下、図面を参照して、本発明の実施の形態を詳細に説明する。図１乃至図４は本発明に係わる液体噴射（インクジェット）記録ヘッドの基本的な構成を示しており、図１７に示したような液体吐出エネルギ発生部に向かって断面積が大きくなる吐出口を形成する本発明によるインクジェット記録ヘッドを説明する。
本発明の第１の実施の形態は、図１２乃至図１６に関連して上述したような従来の基本的製造方法により形成されるノズル形状に対し、ノズル形状を図１７に示すような形状に改善する技術を提供するものである。
図１は本発明が適用される液体噴射（インクジェット）記録ヘッドの基本的な構成を示す斜視図である。図２は本発明の第１の実施の形態による液体噴射（インクジェット）記録ヘッド構成を説明する断面図である。図３は図２のインクジェット記録ヘッドの第１の製造工程を示す断面図である。図４は図１２のインクジェット記録ヘッドの第２の製造工程を示す断面図である。
【００１６】
本発明の液体噴射（液滴吐出）記録ヘッドの製造方法の第１の実施の形態では、液体吐出エネルギ発生部３が形成された基板１上に、除去可能な液流路型４を形成する工程と、液流路型４上にネガ型の感光性樹脂からなる被覆樹脂層５を形成し、感光性を活性化させるエネルギをマスク１０を介して部分的に照射し現像することで、液体吐出エネルギ発生部３上方の被覆樹脂層５において液吐出口６を形成する工程と、液流路型４を溶解除去して液流路７を形成する工程とを有している。
本発明においては、被覆樹脂層５を２層構造とし、第１樹脂層８に感光性を活性化させるエネルギを吸収させる成分を含有させることによって、エネルギ照射工程時にこのエネルギの入射方向に対して、第２樹脂層９は液吐出口６の断面積がマスク寸法に対して一定となる潜像を形成する。第１樹脂層８は液吐出口６の断面積が下向きに徐々に大となるような潜像を形成し、吐出側に断面積が一定となる部分を有し、液体吐出エネルギ発生部３に向かって断面積が曲線状（或いはテーパー状）に漸増する吐出口６を形成する。
【００１７】
まず、本発明が適用される液体噴射（インクジェット）記録ヘッドの基本的実施の態様について図１乃至図４を参照して説明する。本実施の形態においては、例えば、図１に示されるような、ガラス、セラミックス、プラスチックあるいは金属等からなる基板１が用いられる。
このような基板１は、液流路構成部材の一部として機能し、また、後述のインク流路（液流路）及びインク吐出口（液吐出口）６を形成する材料層の支持体として機能し得るものであれば、その形状、材質等に特に限定されることなく使用できる。
基板１上には、電気熱変換素子あるいは圧電素子等の吐出エネルギ発生部３が所望の個数配置される。このような、吐出エネルギ発生部３によって記録小滴（インク滴）を吐出させるための吐出エネルギがインク液に与えられ、記録が行われる。
【００１８】
例えば、吐出エネルギ発生部３として電気熱変換素子が用いられる時には、この電気熱変換素子が近傍の記録液を加熱することにより、記録液に状態変化を生起させて吐出エネルギを発生する。また、例えば、静電気力によりエネルギを与えられた振動板の機械的振動によって吐出エネルギが発生される。
例えば、圧電素子が用いられる時は、この圧電素子の機械的振動によって吐出エネルギが発生される。なお、これらの吐出エネルギ発生部３には、これらの圧電素子を動作させるための制御信号入力用電極（図示せず）が接続されている。
また、一般には、これら吐出エネルギ発生部３の耐用性の向上を目的として、保護層等の各種機能層が設けられているが、もちろん、本発明においてもこのような機能層を設けることは一向に差し支えない。
【００１９】
図１において、インク供給口２を基板１上に予め設けておき、基板１下方よりインクを供給する形態を例示した。このインク供給口２の形成においては、基板１に穴を形成できる手段であれば、いずれの方法も使用できる。例えば、ドリル等機械的手段にて形成しても構わないし、レーザ等の光エネルギを使用しても差支えない。
また、基板１にレジストパターン等を形成して化学的にエッチングしても差支えない。もちろん、インク供給口２を基板１に形成せず、樹脂パターンに形成し、基板１に対してインク吐出口６と同じ面に設けてもよい。
次いで、図１のＡ−Ｂ断面を示している図３のように、吐出エネルギ発生部３を含む基板１上に、溶解可能な樹脂によってインク流路パターン４を形成する。最も一般的な手段としては、感光性材料にて形成する手段が挙げられるが、スクリーン印刷法等の手段にても形成は可能である。
感光性材料を使用する場合においては、インク流路パターン４が溶解可能であるため、ポジ型レジストか、あるいは溶解性変化型のネガ型レジストの使用が可能である。
レジスト層の形成方法としては、インク供給口２をその上に設けた基板１を使用する場合には、感光性材料のドライフィルムを作成し、ラミネートによって形成する。また、インク供給口２に後工程で除去可能な充填物を配置し、通常のスピンコート法、ロールコート法等で被膜を形成しても差支えない。
【００２０】
次に、インク流路をパターニングした溶解可能な樹脂材料層（インク流路パターン）４上に、図３に示すように、さらに、被覆樹脂層５を通常のスピンコート法、ロールコート法等で形成する。ここで、この被覆樹脂層５を形成する工程において、溶解可能な樹脂パターン４を変形させない等の配慮、手順が必要となる。
すなわち、被覆樹脂層５を溶剤に溶解し、これをスピンコート、ロールコート等で溶解可能な樹脂パターン４上に形成する場合、溶剤を、溶解可能な樹脂パターン４を溶解しないように選択する必要がある。
次に、感光性被覆樹脂層５に対して、図４に示すように、マスク１０を介してパターン露光を行う。この例では感光性被覆樹脂層５はネガ型であり、インク吐出口６を形成する部分をマスクで遮蔽する。
【００２１】
ここで、これまでの製造工程は、すべて従来のフォトリソングラフィ技術を用いて位置合わせが可能であり、オリフィスプレートを別途作成し基板１と張り合わせる方法に比べて、格段に精度を上げることができる。こうしてパターン露光された感光性被覆樹脂層５は、必要に応じて反応を促進するために、加熱処理を行ってもよい。
このようにして形成したインク流路７及びインク吐出口６を形成した基板１に対して、吐出エネルギ発生部３のインク吐出圧力発生素子を駆動するための電気的接合（図示せず）を行って、インクジェット記録ヘッドが形成される。
【００２２】
前述した図１乃至図４を基に、さらに本発明の製造方法を説明する。図２における液体吐出エネルギ発生部３として電気熱変換素子を形成した基板上１に、感光性樹脂としてポジ型レジストをスピンコートし、プリベークを行った。その後、インク流路７のマスクパターン（図示せず）を介してマスクアライナ（図示せず）により４．２Ｊ／ｃｍ2の露光量にて露光を行い、その後、現像処理を行い、インク流路となる型４を形成した。
次に、スピンナを使用して下記に示す吸収剤（感光性を活性化させるエネルギを吸収させる成分：カーボンブラック）入り液流路形成材料８で前記型４を被覆し、プリベークを行った。その後、さらに下記に示す液流路形成材料９で液流路形成材料８を被覆し（図３）、プリベークを行った。その後、吐出口６のマスクパターンを有するマスク１０を介してマスクアライナにより３．５Ｊ／ｃｍ2の露光量にて露光を行った（図４）。
続いて、液流路形成部材８の下層部へのエネルギ照射量を増して、これと基板１との間の剥がれに対する耐性を向上するため、吐出口径より大きい径で構成されるパターンを有するマスク（図示せず）を用いて再露光を行う。
その後現像処理を行い、型４及び吐出口（オリフィス）６が形成される液流路構成材料の一部を除去する。その後、本硬化を行い、液流路形成部８＋９を形成した（図２）。最後にチップサイズへの切断を行い、チップを組み立てることにより（図示せず）インクジェット記録ヘッドを完成した。
【００２３】
液流路形成材料８としては、例えば、
ポリマーエピコート８２８（商品名、油化シェルエポキシ社製）５０〜７０部
顔料  カーボンブラックＭＣＦ８８（商品名、三菱化学社製）１０〜３５部
光開始剤Ｐ１７０（商品名、旭電化工業製）１〜５部
シランカップリング剤Ａ１８７（商品名、日本ユニカー社製）１〜５部
である。
液流路形成材料９は、例えば、
ポリマー  エピコート８２８（商品名、油化シェルエポキシ社製）９３．５部
光開始剤  ＳＰ１７０（商品名、旭電化工業製）  １．５部
シランカップリング剤  Ａ１８７（商品名、日本ユニカー社製）５部
である。
【００２４】
図２において、インク供給口２を基板１上に予め設けておき、基板１後方よりインクを供給する形態を例示した。このインク供給口２の形成においては、基板１に穴を形成できる手段であればいずれの方法も使用できる。例えば、ドリル等機械的手段にて形成しても構わないし、レーザ等の光エネルギを使用しても差支えない。
次いで、図３のように、吐出エネルギ発生部３を含む基板１上に、溶解可能な樹脂によってインク流路パターン４を形成する。次に、インク流路をパターニングした溶解可能な樹脂材料層（インク流路パターン）４上に、さらに、被覆樹脂層５を通常のスピンコート法、ロールコート法等で形成する。
構造材料として優れた強度、密着性、耐インク性を有し、かつ樹脂が常温にて固体状であれば、優れたパターニング特性を有することが分かっており、使用される材料としては、エポキシ樹脂のカチオン重合硬化物が用いられる。
まず、エポキシ樹脂のカチオン重合硬化物は、通常の酸無水物、もしくはアミンによる硬化物に比較して高い架橋密度（高Ｔｇ）を有するため、構造材として優れた特性を示す。また、常温にて固体状のエポキシ樹脂を用いることで、光照射によりカチオン重合開始剤より発生した重合開始種のエポキシ樹脂中への拡散が抑えられ、優れたパターニング精度、形状を得ることができる。
溶解可能な樹脂層４上に被覆樹脂層５を形成する工程は、常温で固体状の被覆樹脂を溶剤に溶解し、スピンコート法で形成することが望ましい。薄膜コーティング技術であるスピンコート法を用いることで、被覆樹脂層５は均一にかつ精度良く形成することができ、従来方法では困難であった吐出エネルギ発生部３と吐出口間の距離を短くすることができ、小液滴吐出を容易に達成することができる。
【００２５】
本発明の実施の形態に用いる固体状のエポキシ樹脂としては、ビスフェノールＡとエピクロヒドリンとの反応物のうち分子量がおよそ９００以上のもの、含ブロモスフェノールＡとエピクロヒドリンとの反応物、フェノールノボラックあるいはｏ−クレゾールノボラックとエピクロヒドリンとの反応物、例えば、特開昭６０−１６１９７３号公報、特開昭６３−２２１１２１号公報、特開昭６４−９２１６号公報、特開平２−１４０２１９号公報等に記載のオキシシクロヘキサン骨格を有する多感反エポキシ樹脂等が挙げられるが、もちろん、本発明はこれら化合物のみに限定されるものではない。
上記エポキシ樹脂を硬化させるための光カチオン重合開始剤としては、芳香族ヨードニウム塩、芳香族スルホニウム塩〔ジェイ・ポリマーズＣＩ：シンポジウム（J.POLYMERSCI:Symposium）Ｎｏ．５６  ３８３−３９５（１９７６）参照〕や旭電化工業株式会社より市販されているＳＰ−１５０、ＳＰ−１７０（商品名）等が挙げられる。
また、上述の光カチオン重合開始剤は、還元剤を併用して加熱することによって、カチオン重合を促進（単独の光カチオン重合に比較して架橋密度が向上する）させることができる。ただし、光カチオン重合開始剤と還元剤を併用する場合、常温では反応せず、一定温度以上（好ましくは６０℃以上）で反応する、いわゆるレドックス型の開始剤系になるように、還元剤を選択する必要がある。
このような還元剤としては、銅化合物、とくに反応性及びエポキシ樹脂への溶解性を考慮して銅トリフラート（トリフルオロメタンスルフォン酸銅（II））が最適である。また、アスコルビン酸等の還元剤も有用である。
さらに、上記組成物に対して必要に応じて添加剤などを適宜添加することが可能である。例えば、エポキシ樹脂の弾性率を下げる目的での可撓性付与剤の添加、あるいは基板１とのさらなる密着力を得るためのシランカップリング剤の添加等が挙げられる。
【００２６】
次に、上記化合物から成る感光性被覆樹脂層５に対して、図４に示すように、マスク１０を介してパターン露光を行う。本実施の態様の感光性被覆樹脂層５はネガ型であり、インク吐出口６を形成する部分をマスクで遮蔽する。パターン露光は、使用する光カチオン重合開始剤の感光領域に合わせて紫外線、ディープ（Ｄｅｅｐ）−ＵＶ光、電子線、Ｘ線等から適宜選択することができる。
ここで、これまでの製造工程は、すべて従来のフォトリソングラフィ技術を用いて位置合わせが可能であり、オリフィスプレートを別途作成し基板１と張り合わせる方法に比べて、格段に精度を上げることができる。こうしてパターン露光された感光性被覆樹脂層５は、必要に応じて反応を促進するために、加熱処理を行ってもよい。
ここで、前述のごとく、感光性被覆樹脂層５は、常温で固体状のエポキシ樹脂で構成されているため、パターン露光で生ずるカチオン重合開始種の拡散は制約を受け、優れたパターニング精度、形状を実現できる。
次に、パターン露光された感光性被覆樹脂層５は、適当な溶剤を用いて現像され、図２に示すように、インク吐出口６を形成する。ここで、未露光の感光性被覆樹脂層５の現像時に同時にインク流路７を形成する溶解可能な樹脂パターン４を現像することも可能である。
このようにして形成したインク流路７及びインク吐出口６を形成した基板１に対して、吐出エネルギ発生部３のインク吐出圧力発生素子を駆動するための電気的接合（図示せず）を行って、インクジェット記録ヘッドが形成される。
【００２７】
図５は図１７に示したインクジェット記録ヘッドを示す断面図である。図６は図５のインクジェット記録ヘッドを作成する第１の製造段階を示す断面図である。図７は図５のインクジェット記録ヘッドを作成する第２の製造段階を示す断面図である。図８は図５のインクジェット記録ヘッドを作成する第３の製造段階を示す断面図である。
本発明の液体噴射（液滴吐出）記録ヘッドの製造方法の第２の実施の形態では、液体吐出エネルギ発生部３が形成された基板１上に、溶解可能な樹脂層により液流路型１１を形成する工程と、この液流路型１１上にネガ型の感光性樹脂からなる被覆樹脂層５を形成し、この感光性を活性化させるエネルギをマスク１０を介して部分的に照射し現像することによって、液体吐出エネルギ発生部３上方の被覆樹脂層５に液滴吐出口６を形成する工程と、液流路型１１を溶解除去して液流路７を形成する工程とを有している。
液流路型１１上に溶解可能なポジ型の感光性樹脂層により、すそ引き形状の液滴吐出口型を形成した改良液流路型１１上に、ネガ型の感光性樹脂からなる被覆樹脂層５を積層形成する。この感光性を活性化させるエネルギを、液吐出口型マスク１０を介して部分的に照射し現像することによって、液体吐出エネルギ発生部３上方の被覆樹脂層に液滴吐出口を形成する工程と、改良液流路型１１を溶解除去して液（インク）流路７を形成する工程とを有することで、吐出側に断面積が一定となる部分を有し、液体吐出エネルギ発生部３に向かって断面積が大きくなる（漸増する）液滴吐出口６と液流路７を形成する。
【００２８】
前述の図１乃至図４を基に、さらに、本発明の別の製造方法を説明する。図２における液体吐出エネルギ発生部３として電気熱変換素子を形成した基板上１に、感光性樹脂としてポジ型レジストをスピンコートし、プリベークを行った。その後、インク流路７のマスクパターン（図示せず）を介してマスクアライナにより４．２Ｊ／ｃｍ2の露光量にて露光を行い、現像処理を行い、インク流路となる型４を形成した。
次に、ポジ型レジストをスピンコートし、プリベークを行った後、吐出口６のマスクパターン（図示せず）を介してマスクアライナにより３．９Ｊ／ｃｍ2の露光量にて、（アンダー）露光を行い、現像処理を行い、スソ引き形状のインク流路（吐出口の一部）となる型１１を形成した（図６）。
【００２９】
次に、スピンナを使用して液流路形成材料５で型１１を被覆し（図７）、プリベークを行った後、吐出口６のマスクパターンを有するマスク１０を介してマスクアライナ（図示せず）により３．０Ｊ／ｃｍ2の露光量にて露光を行う（図８）。
続いて、液流路形成部材５の下層部へのエネルギ照射量を増して、これと基板１との間の剥がれに対する耐性を向上するため、吐出口径より大きい径で構成されるパターンを有するマスク（図示せず）を用いて再露光を行う。
その後現像処理を行い、型１１及びオリフィス６が形成される液流路構成材料の一部を除去する。その後、本硬化を行い、液流路形成部７を形成した（図５）。最後にチップ大に切断、チップを組み立てることにより（図示せず）インクジェット記録ヘッドを完成した。
上述したような、本発明の第１の及び第２の実施の形態による液滴吐出ヘッドの製造方法により製造された液滴吐出ヘッドは、ノズル孔の断面形状が吐出口６の直線部を有し、液滴吐出口６から流入口（インク流路）７に向けて、ノズル孔内壁面接線方向と液滴吐出方向のなす角度が連続的に増大するような構成となり、吐出安定性に優れ、また、前記形状（構造）を簡便に精度よく形成することができる。
【００３０】
次に、本発明に係るインク（液体）カートリッジについて図９を参照して説明する。このインクカートリッジは、液滴（インク）吐出口６等を有する上記各実施の形態のいずれかによるインクジェットヘッド１３と、このインクジェットヘッド１３に対してインクを供給するインクタンク１４とを一体化したものである。
このようにインクタンク一体型のヘッドの場合、インクジェットヘッド１３の歩留まり不良は直ちにインクカートリッジ１２全体の不良に繋がるので、上述したようにインクジェットヘッドの高熱による吐出不良を低減することで、インクカートリッジの製造不良が減少し、歩留まりが向上し、ヘッド一体型インクカートリッジの低コスト化を図れる。
【００３１】
図１０はインクジェット記録装置を示す概略斜視図である。図１１はインクジェット記録装置の機構部を示す側面説明図である。次に、本発明に係るインクジェットヘッドを搭載したインクジェット記録装置の実施の形態について図１０及び図１１を参照して説明する。
このインクジェット記録装置は、記録装置本体１５の内部に主走査方向に移動可能なキャリッジ２３、このキャリッジ２３に搭載した本発明を実施したインクジェットヘッドからなる記録ヘッド、記録ヘッドへインクを供給するインクカートリッジ等で構成される印字機構部１６等を収納し、記録装置本体１５の下方部には前方側から多数枚の用紙１７を積載可能な給紙カセット（或いは給紙トレイでもよい。）１８を抜き差し自在に装着することができる。
【００３２】
また、用紙１７を手差しで給紙するための手差しトレイ１９を開倒することができ、給紙カセット１８或いは手差しトレイ１９から給送される用紙１７を取り込み、印字機構部１６によって所要の画像を記録した後、後面側に装着された排紙トレイ２０に排紙する。
印字機構部１６は、図示しない左右の側板に横架したガイド部材である主ガイドロッド２１と従ガイドロッド２２とでキャリッジ２３を主走査方向（図１１で紙面垂直方向）に摺動自在に保持している。
このキャリッジ２３にはイエロー（Ｙ）、シアン（Ｃ）、マゼンタ（Ｍ）、ブラック（Ｂｋ）の各色のインク滴を吐出する本発明に係るインクジェットヘッドからなる記録ヘッド２４を複数のインク吐出口（ノズル）を主走査方向と交差する方向に配列し、インク滴吐出方向を下方に向けて装着している。また、キャリッジ２３には記録ヘッド２４に各色のインクを供給するための各インクカートリッジ２５を交換可能に装着している。
インクカートリッジ１２は上方に大気と連通する大気口、下方にはインクジェットヘッドへインクを供給する供給口を、内部にはインクが充填された多孔質体を有しており、多孔質体の毛管力によりインクジェットヘッド２４へ供給されるインクを僅かな負圧に維持している。また、記録ヘッドとしてここでは各色のインクジェットヘッド２４を用いているが、各色のインク滴を吐出するノズルを有する１個のヘッドでもよい。
ここで、キャリッジ２３は後方側（用紙搬送方向下流側）を主ガイドロッド２１に摺動自在に嵌装し、前方側（用紙搬送方向上流側）を従ガイドロッド２２に摺動自在に載置している。
上述のキャリッジ２３を主走査方向に移動走査するために、主走査モータ２６で回転駆動される駆動プーリ２７と従動プーリ２８との間にタイミングベルト２９を張装し、このタイミングベルト２９をキャリッジ２３に固定しており、主走査モータ２６の正逆回転によりキャリッジ２３が往復駆動される。
【００３３】
一方、給紙カセット１８にセットした用紙１７をヘッド２４の下方側に搬送するために、給紙カセット１８から用紙１７を分離給装する給紙ローラ３０及びフリクションパッド３１と、用紙を案内するガイド部材３２と、給紙された用紙１７を反転させて搬送する搬送ローラ３３と、この搬送ローラ３３の周面に押し付けられる搬送コロ３４及び搬送ローラ３３からの用紙１７の送り出し角度を規定する先端コロ３５とを設けている。
搬送ローラ３３は、副走査モータ３６によってギヤ列を介して回転駆動される。キャリッジ２３の主走査方向の移動範囲に対応して搬送ローラ３３から送り出された用紙１７を記録ヘッド２４の下方側で案内する用紙ガイド部材である印写受け部材３７を設けている。
この印写受け部材３７の用紙搬送方向下流側には、用紙１７を排紙方向へ送り出すために回転駆動される搬送コロ３８、拍車３９を設け、さらに、用紙１７を排紙トレイ２０に送り出す排紙ローラ４０及び拍車４１と、排紙経路を形成するガイド部材４２、４３とを配設している。
記録時には、キャリッジ２３を移動させながら画像信号に応じて記録ヘッド２４を駆動することにより、停止している用紙１７にインクを吐出して１行分を記録し、用紙１７を所定量搬送後、次の行の記録を行う。記録終了信号、又は、用紙１７の後端が記録領域に到達した信号を受けることにより、記録動作を終了させ用紙１７を排紙する。
【００３４】
また、キャリッジ２３の移動方向右端側の記録領域を外れた位置には、記録ヘッド２４の吐出不良を回復するための回復装置４４を配置している。この回復装置４４は図示してないキャップ手段と吸引手段とクリーニング手段を有している。
キャリッジ２３は、印字待機中には、回復装置４４側に移動されかつ記録ヘッド２４はキャッピング手段でキャッピングされ、液滴吐出口部を湿潤状態に保つことによりインク乾燥による吐出不良を防止する。また、記録途中などに記録と関係しないインクを吐出することにより、全ての液滴吐出口（図示せず）のインク粘度を一定にし、安定した吐出性能を維持する。
吐出不良が発生した場合等には、キャッピング手段で記録ヘッド２４の吐出口（ノズル）を密封し、チューブを通して吸引手段で液滴吐出口からインクとともに気泡等を吸い出し、吐出口面に付着したインクやゴミ等はクリーニング手段により除去され吐出不良が回復される。また、吸引されたインクは、本体下部に設置された廃インク溜（図示せず）に排出され、廃インク溜内部のインク吸収体に吸収保持される。
【００３５】
吐出側に一定の断面積を持ち、液体吐出エネルギ発生部３に向かって断面積が大きくなるラッパ形状の液滴吐出口６となる液滴吐出ヘッドは、形状の寸法精度よく、信頼性の高い液滴吐出ヘッドである。また、この形状の液滴吐出口６は、ノズル孔内部での圧力損失を低減させ、噴射直進性が向上し、吐出安定性に優れた特性を有し、簡便に精度よく形成される。
液滴吐出ヘッドがこのような特性を有するので、これとこの液滴吐出ヘッドに液滴を供給する液滴タンクを一体化した液体カートリッジは、製造不良が減少し、低コスト化を図ることができる。また、この一体化した液体カートリッジを使用する液滴吐出装置及び長尺化された液滴吐出ヘッドを用いてライン型とした液滴吐出装置も、液吐出特性の変動を抑止できるため高信頼性の液滴吐出装置である。
【００３６】
このように、このインクジェット記録装置においては本発明を実施したインクジェットヘッドを搭載しているので、高熱によるインク滴吐出不良がなく、安定したインク滴吐出特性が得られて、画像品質が向上する。本発明に用いられる記録液は色材として、顔料、染料のいずれでも用いることができ、混合して用いることもできる。
なお、前述したように本発明に係る液滴吐出装置は、プリンタ、ファクシミリ装置、複写装置、これらの複合機などにも適用することができる。また、インク以外の液体、例えばＤＮＡ試料やレジスト、パターン材料などを吐出する液滴吐出ヘッドや液滴吐出装置にも適用することができる。
【図面の簡単な説明】
【００３７】
【図１】本発明が適用される液体噴射（インクジェット）記録ヘッドの基本的な構成を示す斜視図である。
【図２】本発明の第１の実施の形態による液体噴射（インクジェット）記録ヘッド構成を説明する断面図である。
【図３】図２のインクジェット記録ヘッドの第１の製造工程を示す断面図である。
【図４】図２のインクジェット記録ヘッドの第２の製造工程を示す断面図である。
【図５】図１７に示したインクジェット記録ヘッドを示す断面図である。
【図６】図５のインクジェット記録ヘッドを作成する第１の製造段階を示す断面図である。
【図７】図５のインクジェット記録ヘッドを作成する第２の製造段階を示す断面図である。
【図８】図５のインクジェット記録ヘッドを作成する第３の製造段階を示す断面図である。
【図９】本発明に係る液体カートリッジを示す概略斜視図である。
【図１０】インクジェット記録装置を示す概略斜視図である。
【図１１】インクジェット記録装置の機構部を示す側面説明図である。
【図１２】一般的な液体噴射（インクジェット）記録ヘッドの基本的な構成を説明する断面図である。
【図１３】図１２のインクジェット記録ヘッドの第１の製造工程を示す断面図である。
【図１４】図１２のインクジェット記録ヘッドの第２の製造工程を示す断面図である。
【図１５】図１２のインクジェット記録ヘッドの第３の製造工程を示す断面図である。
【図１６】図１２のインクジェット記録ヘッドの第４の製造工程を示す断面図である。
【図１７】ノズル形状を吐出口から電気熱変換素子に向かって断面積を大きくしているインクジェット記録ヘッドの基本的な構成を説明する断面図である。
【符号の説明】
【００３８】
１  基板
２  インク供給口
３  吐出エネルギ発生部
４  樹脂材料層（液流路型、インク流路パターン）
５  被覆樹脂層
６  液滴吐出口（インク吐出口）
７  液流路（インク流路）
８  第１樹脂層（吸収剤入り液流路形成材料）
９  第２樹脂層（液流路形成材料）
１１  改良液流路型（すそ引き形状の液滴吐出口型）
１２  液体カートリッジ（インクカートリッジ）
１３  インクジェットヘッド（液滴吐出装置）
１５  インクジェット記録装置（記録装置本体）
【図１】
2007320299.tif 000003
【図２】
2007320299.tif 000004
【図３】
2007320299.tif 000005
【図４】
2007320299.tif 000006
【図５】
2007320299.tif 000007
【図６】
2007320299.tif 000008
【図７】
2007320299.tif 000009
【図８】
2007320299.tif 000010
【図９】
2007320299.tif 000011
【図１０】
2007320299.tif 000012
【図１１】
2007320299.tif 000013
【図１２】
2007320299.tif 000014
【図１３】
2007320299.tif 000015
【図１４】
2007320299.tif 000016
【図１５】
2007320299.tif 000017
【図１６】
2007320299.tif 000018
【図１７】
2007320299.tif 000019